(57)【特許請求の範囲】
【請求項１】
基部先端を環状に曲げて接続用の円環部を形成した釣針であって、  前記基部先端は当該円環の始点付近まで円弧を描いて延伸した後、当該円環の始点に接することなく当該円環の始点の内側に沿って延伸するよう形成されたことを特徴とする釣針。    
【請求項２】
基部先端を環状に曲げて接続用の円環部を形成した釣針であって、  前記基部先端は当該円環の始点付近まで円弧を描いて延伸した後、当該円環の始点に接することなく当該円環内に向かって折れ曲がって延伸するよう形成されたことを特徴とする釣針。    
【請求項３】
前記円環部を通じてルアーの接続金具取付用孔に取付可能であることを特徴とする請求項１又は２に記載の釣針。    
【請求項４】
前記円環部を通じて釣糸に取付可能であることを特徴とする請求項１又は２に記載の釣針。 
【発明の詳細な説明】
【技術分野】
【０００１】
本発明は、ルアーフィッシングや餌釣りに用いられる交換可能な釣針に関し、特に、ルアーと釣針との間に介在するスプリットリングとの接続を容易にした釣針に関するものである。
【背景技術】
【０００２】
ルアーフィッシングは、図４に示すように、小魚等の形態を模した疑似餌であるルアー１０に釣針２０を取り付けたものを用い、ルアー１０を水中で遊泳する小魚等の動作に似せて操作することにより、魚を誘い食いつかせて釣り上げる魚釣り方法である。ルアー１０と釣竿（図示せず）との接続は、釣竿のリールからスプールや糸ガイドを介して竿先から繰り出される道糸（メインライン）の先端にルアー１０が取付けられるのが一般的である。  
【０００３】
一方餌釣りは、道糸（メインライン）に結び付けられたハリスの先端に釣針を取り付け、釣針に付着させた餌を魚に食いつかせて釣り上げる魚釣り方法である。  
【０００４】
図５は、従来のルアーフィッシングに用いられていたルアーと釣針との接続部分を拡大して示す模式図である。図５において、ルアー１０の釣針接続部分には接続金具取付用孔４０が形成されており、接続金具取付用孔４０を貫通して環状の接続金具であるスプリットリング５０が取り付けられ、さらに釣針２０基部（チモト部）に形成された円環部がスプリットリング５０の環を貫通するようにして取り付けられている。  
【０００５】
図６は、図５に示すスプリットリング５０の構造の一例を模式的に示す拡大図である。図６に示すように、典型的なスプリットリング５０は、鉄などの金属材料からなる棒状部材を環状二重らせんに巻き曲げることにより形成されている。棒状部材の先端部６０と隣接する環状部との隙間を抉じ開けて、ルアー１０の接続金具取付用孔４０及び釣針２０基部の円環部に取り付けることができるようになっている（特許文献２の図５参照）。  
【０００６】
特許文献１〜４は、このスプリットリング５０と釣針２０との取付方法についての先行技術を示す文献である。
【先行技術文献】
【特許文献】
【０００７】
【特許文献１】特許第３０５０３００号公報
【特許文献２】特許第３９６０９９２号公報
【特許文献３】特許第３７０９１６６号公報
【特許文献４】特開平１０−２１０８８７号公報
【発明の概要】
【発明が解決しようとする課題】
【０００８】
ところで、市販されているスプリットリングは、釣り専用のプライヤーを使用してルアーや釣針、釣糸に取り付けられる。釣人は釣場や船上において釣針を交換する度に、ルアーに取り付けたスプリットリングに釣針の装着・離脱をする際には、プライヤーを使用して又は直接素手で行うが、安定した作業環境ではなく時には足場や視界すら悪い釣場や船上において剛性を有する金属部材であるスプリットリングの隙間を抉じ開けて釣針を取り付けるという作業は大変な困難を伴うものである。  
【０００９】
そこで、手作業によるスプリットリングと釣針の装着を容易にする考案がなされている。特許文献１に記載の考案では、釣針基部の円環部の外環側の一部を薄肉部とし、この部分を通してスプリットリングとの嵌合を容易ならしめている（特許文献１の図１等参照）。また、特許文献２に記載の考案では、釣針基部の円環部の内環側の一部を薄肉部とし、この部分を通してスプリットリングとの嵌合を容易ならしめている（特許文献２の図３等参照）。  
【００１０】
一方、特許文献３には、スプリットリングの環状二重らせんの巻き方の変形例が示されており（特許文献３の図４等参照）、特許文献４には、釣針の基部先端を円環部から釣針先端に向かって巻き下ろしてスプリットリングの導入部を形成する考案が開示されている（特許文献４の図１，２等参照）。  
【００１１】
しかしながら、上記の特許文献１，２に示す各考案は、釣針環状部の形状工夫によってスプリットリングの隙間への挿入を一定程度容易ならしめる効果があるとしても、依然、極めて小さい寸法の釣針環状部をスプリットリングの狭い隙間に抉じ開けて二重らせんリング内に挿入するという手作業には変わりなく、釣場や船上の不安定な作業環境でこれを行うことを考えれば、作業の困難さが根本的に解消されているとは言えない。特許文献３に示すスプリットリングの考案もこの問題を何ら解決するものではない。  
【００１２】
特許文献４に示す釣針は、環状部から基部先端を巻き下ろして形成した導入部によりスプリットリングの装着が容易になるものと考えられるが、一方で、巻き下ろした基部先端が釣針軸の外側に突出しており、この突出部分が道糸や他のルアー、岩礁、海底ゴミなどに引っ掛かってトラブルを起こす危険性が高く、実用性が高いものとは言えない。  
【００１３】
本発明は、このような実情に鑑みてなされたものであり、プライヤーを必要とせず、スプリットリングの装着・離脱を釣場や船上の不安定な作業環境においても容易に行うことができる釣針を提供しようとするものである。  
【００１４】
さらに、本発明は、ルアーとの接続において従来用いられていたスプリットリングを必要とせずにルアーや釣糸と直接容易に装着・離脱することができる釣針を提供しようとするものである。
【課題を解決するための手段】
【００１５】
上記解決課題に鑑みて鋭意研究の結果、本発明者は、釣針の基部先端を環状に曲げて円環部とするその先端を円環の始点から僅かに離間させた形状とすることにより、この離間部の隙間を通じてスプリットリングを釣針基部の円環部に容易に取り付け、また取り外すことができることに想到し、本発明の釣針を成すに至った。  
【００１６】
すなわち、本発明は、基部先端を環状に曲げて接続用の円環部を形成した釣針であって、前記基部先端は当該円環の始点付近まで円弧を描いて延伸した後、当該円環の始点に接することなく当該円環の始点の内側に沿って延伸するよう形成されたことを特徴とする釣針を提供するものである。  
【００１７】
このように構成された本発明の釣針は、従来の釣針ようにスプリットリングの狭い隙間を抉じ開けて釣針基部の円環部を通すという困難な作業を必要とせず、スプリットリングを釣針基部の円環部に形成された離間部の隙間に通すことによって、スプリットリングと釣針基部の円環部を容易に装着・離脱することができる。  
【００１８】
本発明は、また、基部先端を環状に曲げて接続用の円環部を形成した釣針であって、前記基部先端は当該円環の始点付近まで円弧を描いて延伸した後、当該円環の始点に接することなく当該円環内に向かって折れ曲がって延伸するよう形成されたことを特徴とする釣針を提供するものである。  
【００１９】
このように構成された本発明の釣針は、従来の釣針ようにスプリットリングの狭い隙間を抉じ開けて釣針基部の円環部を通すという困難な作業を必要とせず、スプリットリングを釣針基部の円環部に形成された離間部の隙間に通すことによって、スプリットリングと釣針基部の円環部を容易に装着・離脱することができる。  
【００２０】
また、本発明者は、釣針の基部先端を環状に曲げて円環部とするその先端を円環の始点から僅かに離間させた形状とすることにより、この離間部の隙間を通じてルアーの接続金具取付用孔や釣糸（先糸と道糸とを問わず）を直接取り付けることもできることに想到した。  
【００２１】
すなわち、上述した構成を有する本発明の釣針は、前記円環部を通じてルアーの接続金具取付用孔に直接取り付けられ、又は、前記円環部を通じて釣糸に直接取り付けられるものとすることができる。  
【００２２】
これにより、極めて小さい寸法の釣針環状部とスプリットリングとを手作業で接続するという作業自体を省略することが可能である。また、先糸と道糸とを問わず釣糸を直接容易に取り付けることができるので、ルアーフィッシングや餌釣りに限らず広い範囲に応用が可能である。
【発明の効果】
【００２３】
以上、説明したように、本発明によれば、ルアーと釣針との間に介在するスプリットリングに対する装着・離脱を容易に行うことができる釣針が提供される。さらには、ルアーとの接続において従来用いられていたスプリットリングを必要とせずにルアーと直接容易に装着・離脱することが可能な釣針、及び先糸と道糸とを問わず釣糸と直接容易に装着・離脱することができる釣針が提供される。  
【００２４】
本発明の釣針は、釣場や船上の不安定な作業環境において行われる、極めて小さい寸法の釣針環状部とスプリットリングを手作業で装着・離脱するという作業を大幅に容易化し、あるいはその作業自体を省略するものであり、利用者の利便性は格段に向上する。
【図面の簡単な説明】
【００２５】
【図１】本発明の第１実施形態にかかる釣針の全体構成を概略的に示す模式図である。
【図２】図１に示す第１実施形態にかかる釣針の基部を拡大して模式図である。
【図３】本発明の第２実施形態にかかる釣針の全体構成を概略的に示す模式図である。
【図４】ルアーフィッシングによる魚釣り方法の概要を示す図である。
【図５】従来のルアーフィッシングに用いられていたルアーと釣針との接続方法を模式的に示す拡大図である。
【図６】図５に示すスプリットリングの構造の一例を模式的に示す拡大図である。
【発明を実施するための形態】
【００２６】
以下、添付図面を参照しながら、本発明の釣針を実施するための最良の形態を詳細に説明する。図１〜図３は、本発明の実施の形態を例示する図であり、これらの図において、同一の符号を付した部分は同一物を表わし、基本的な構成及び動作は同様であるものとする。  
【００２７】
[第１実施形態]  図１は、本発明の第１実施形態にかかる釣針の全体構成を概略的に示す模式図である。  図１において、第１実施形態の釣針１００は、一端において針先１１２を有する針先部１１０を形成し、他端においてルアーとの連結用部材であるスプリットリングを接続するための環状部１２２を有する基部１２０を形成してなる。  
【００２８】
第１実施形態の釣針１００は、鋼、ステンレス等の金属材料を引き伸ばしてなる線材を所定の長さに切断し、基部１２０の環状部１２２及び針先部１１０の針先１１２（イケ先）を成形加工するとともに針先１１２先端を尖らせ、強度と弾性向上のための焼入れ・焼戻し加工を行い、表面を研磨し、ニッケル、スズ等でめっき処理を行うことで作製される。  
【００２９】
図２は、図１に示す第１実施形態の釣針１００の基部を拡大して模式図である。  図２に示すように、基部１２０の環状部１２２は線材の一端が環をなすように屈曲されて形成されている。線材の先端は当該円環の始点付近まで円弧を描いて延伸した後、当該円環の始点に接することなく当該円環内に向かって折れ曲がって延伸しており、当該円環の始点付近と上記の線材折れ曲がり部分との間には０．数ｍｍ〜１ｍｍ程度の隙間ができている。また、当該円環の始点付近と線材先端との間は上記の隙間よりやや大きく離間している。  
【００３０】
釣針１００にスプリッ
トリング５０を取り付ける際には、上記円環の始点付近と上記の線材折れ曲がり部分との隙間を通じてスプリットリング５０を円環内に通すことができる。この隙間は、スプリットリング５０の線径よりもやや小さくしておくのが好ましい。スプリットリング５０を通す際には、弾性を有する線材の折れ曲がり部分から先端にかけた部分がスプリットリング５０により押し下げられることとなる。  
【００３１】
釣針１００からスプリットリング５０を取り外す際には、上記円環の始点付近と上記の線材先端との隙間を通じてスプリットリング５０を円環外に通すことができる。この隙間は、スプリットリング５０の線径と同程度かやや大きくしておくのが好ましい。スプリットリング５０を通す際には、弾性を有する線材の先端から上記折れ曲がり部分にかけた部分がスプリットリング５０により押し下げられることとなる。  
【００３２】
釣針１００に取付けられたスプリットリング５０にさらに釣糸が取り付けられ釣りを行う際には、図２に点線で示すようにスプリットリング５０が基部１２０の先端方向に引っ張られるため、環状部１２２が釣糸にかかる力によって変形してしまうことはない。また、釣針１００がスプリットリング５０から外れてしまうこともない。  
【００３３】
尚、第１実施形態の釣針１００については、上記した例のほか、材質、寸法形状、成形加工方法、熱処理、表面処理について用途に適した様々な形態を採用することができる。  
【００３４】
[第２実施形態]  図３は、本発明の第２実施形態にかかる釣針の全体構成を概略的に示す模式図である。  図３において、第２実施形態の釣針２００は、一端において針先２１２を有する針先部２１０を形成し、他端においてルアーとの連結用部材であるスプリットリングを接続するための環状部２２２を有する基部２２０を形成してなる。この釣針２００は、第１実施形態の釣針１００と同様の方法で作製される。  
【００３５】
釣針２００は、第１実施形態の釣針１００と同様に、基部２２０の環状部２２２は線材の一端が環をなすように屈曲されて形成されている。しかしながら、線材の先端は当該円環の始点付近まで円弧を描いて延伸した後、当該円環の始点に接することなく当該円環の始点の内側に沿って延伸しており、当該円環の始点付近と線材の先端付近との間には０．数ｍｍ〜１ｍｍ程度の隙間ができている。  
【００３６】
図２に示すのと同様に、釣針２００にスプリットリングを着脱する際には、上記円環の始点付近と線材の先端付近との隙間を通じてスプリットリングを円環内又は円環外に向けてに通すことができる。この隙間は、線材の先端付近と上記円環始点との間隔はスプリットリングの線径よりもやや小さくし、線材の先端と上記円環の始点付近との間隔はスプリットリングの線径と同程度かやや大きくしておくのが好ましい。スプリットリングを通す際には、弾性を有する線材の先端付近がスプリットリングにより押し下げられることとなる。  
【００３７】
第１実施形態の釣針１００と同様に、釣針２００に取付けられたスプリットリングにさらに釣糸が取り付けられ釣りを行う際には、スプリットリングは基部２２０の先端方向に引っ張られるため、環状部２２２が釣糸にかかる力によって変形してしまうことはない。  
【００３８】
尚、第２実施形態の釣針２００については、上記した例のほか、材質、寸法形状、成形加工方法、熱処理、表面処理について用途に適した様々な形態を採用することができる。  
【００３９】
以上、本発明の釣針について、具体的な実施の形態を示して説明したが、本発明はこれらに限定されるものではない。当業者であれば、本発明の要旨を逸脱しない範囲内において、上記各実施形態における釣針の構成及び機能に様々な変更・改良を加えることが可能である。
【産業上の利用可能性】
【００４０】
本発明の釣針は、漁業はもちろんのことフィッシングスポーツの分野において利用することができるものである。
【符号の説明】
【００４１】
１０  ルアー２０  釣針３０  先糸の先端４０  接続金具取付用孔５０  スプリットリング６０  スプリットリングの先端部１００，２００  釣針１１０，２１０  針先部１１２，２１２  針先１２０，２２０  基部１２２，２２２  環状部 
【要約】      （修正有）【課題】プライヤーを必要とせず、スプリットリングの装着・離脱を釣場や船上の不安定な作業環境においても容易に行うことができる釣針を提供する。さらに、従来用いられていたスプリットリングを必要とせずにルアーや釣糸と直接容易に装着・離脱することができる釣針を提供する。【解決手段】釣針の基部１２０先端を環状に曲げて環状部１２２とするその先端を円環の始点から僅かに離間させた形状とすることにより、この離間部の隙間を通じてスプリットリングや釣糸を釣針基部１２０の環状部１２２に容易に取り付け、また取り外すことができる。【選択図】図１【図１】
0004848057.tif 000002
【図２】
0004848057.tif 000003
【図３】
0004848057.tif 000004
【図４】
0004848057.tif 000005
【図５】
0004848057.tif 000006
【図６】
0004848057.tif 000007